(57)【特許請求の範囲】
【請求項１】
温水を吐出して人体局部の洗浄を行う温水洗浄装置であって、
ファンと前記ファンを回転させるためのモータとを備え、人体局部を乾燥するために温風を吹き出す温風ユニットと、
前記温風の流路に設けられ、温水の吐出および停止を制御する電子制御装置と、を備え、
前記電子制御装置は、人体局部の乾燥動作を行うときに前記モータを高速回転させ、人体局部の乾燥動作を行わないときは、前記モータを低速回転させる温水洗浄装置。
【請求項２】
乾燥ボタンを含む操作パネルをさらに備え、
前記電子制御装置は、前記乾燥ボタンがオンされたときは前記モータを高速回転させ、オンされていないときは前記モータを低速回転させる請求項１記載の温水洗浄装置。
【請求項３】
温水を吐出して人体局部の洗浄を行う温水洗浄装置であって、
ファンと前記ファンを回転させるためのモータとを備え、人体局部を乾燥するために温風を吹き出す温風ユニットと、
前記温風の流路に設けられ、温水の吐出および停止を制御する電子制御装置と、を備え、
前記電子制御装置は、人体局部の乾燥動作を行うときに前記モータを高速回転させ、前記人体局部の乾燥動作を行わないときのうち、人体局部の洗浄動作を行うときに前記モータを低速回転させ、前記人体局部の洗浄動作を行わないときは前記モータの回転を停止させる温水洗浄装置。
【請求項４】
乾燥ボタンおよび洗浄ボタンを含む操作パネルをさらに備え、
前記電子制御装置は、
前記乾燥ボタンがオンされたときに前記モータを高速回転させ、
前記乾燥ボタンがオンされていないときに前記洗浄ボタンがオンされると、前記モータを低速回転させ、
前記乾燥ボタンおよび前記洗浄ボタンがいずれもオンされていないときに前記モータを停止させる、請求項３に記載の温水洗浄装置。
【請求項５】
温水を吐出して人体局部の洗浄を行う温水洗浄装置であって、
ファンと前記ファンを回転させるためのモータとを備え、循環風を作り出す循環風作成手段と、
ボタンを含む操作パネルと、
前記温風の流路に設けられ、温水の吐出および停止を制御する電子制御装置と、を備え、
前記電子制御装置は、前記ボタンの操作に応答して前記モータを高速回転させるか、低速回転させるかを切り替える温水洗浄装置。
【請求項６】
前記循環風ユニットは、脱臭ユニットまたは室暖ユニットである請求項５記載の温水洗浄装置。
【発明の詳細な説明】
【０００１】
【発明の属する技術分野】
本発明は、温水洗浄装置の改良に関する。
【０００２】
【従来の技術】
従来、人体局部に対して洗浄水を吐水する温水洗浄装置が知られている。
【０００３】
この種の温水洗浄装置は、洗浄水の流路を開閉する電磁弁や、洗浄水を加熱するためのヒータや、ノズルを収縮させるためのモータ等の電気機器をマイクロコンピュータ等の制御手段によって制御させ、その機能は年々向上する一方である。
【０００４】
【発明が解決しようとする課題】
ところが、上記のように機能性を追及し、制御手段に複雑な処理を要求するがため、制御手段から発生する動作熱は上昇する一方であり、その動作熱のために処理がうまく行われないという問題があらたに提案されている。
【０００５】
【課題を解決するための手段】
本発明の一つの実施態様に従う温水洗浄装置は、温水を吐出して人体局部の洗浄を行う温水洗浄装置であって、ファンと前記ファンを回転させるためのモータとを備え、人体局部を乾燥するために温風を吹き出す温風ユニットと、前記温風の流路に設けられ、温水の吐出および停止を制御する電子制御装置と、を備える。そして、前記電子制御装置は、人体局部の乾燥動作を行うときに前記モータを高速回転させ、人体局部の乾燥動作を行わないときは、前記モータを低速回転させる。
【０００６】
好適な実施形態では、乾燥ボタンを含む操作パネルをさらに備える。そして、前記電子制御装置は、前記操作ボタンがオンされたときは前記モータを高速回転させ、オンされていないときは前記モータを低速回転させるようにしてもよい。
【０００７】
本発明の一つの実施態様に従う温水洗浄装置は、温水を吐出して人体局部の洗浄を行う温水洗浄装置であって、ファンと前記ファンを回転させるためのモータとを備え、人体局部を乾燥するために温風を吹き出す温風ユニットと、前記温風の流路に設けられ、温水の吐出および停止を制御する電子制御装置と、を備える。そして、前記電子制御装置は、人体局部の乾燥動作を行うときに前記モータを高速回転させ、前記人体局部の乾燥動作を行わないときのうち、人体局部の洗浄動作を行うときに前記モータを低速回転させ、前記人体局部の洗浄動作を行わないときは前記モータの回転を停止させる。
【０００８】
好適な実施形態では、乾燥ボタンおよび洗浄ボタンを含む操作パネルをさらに備える。そして、前記電子制御装置は、前記乾燥ボタンがオンされたときに前記モータを高速回転させ、前記乾燥ボタンがオンされていないときに前記洗浄ボタンがオンされると、前記モータを低速回転させ、前記乾燥ボタンおよび前記洗浄ボタンがいずれもオンされていないときに前記モータを停止させるようにしてもよい。
【０００９】
本発明の一つの実施態様に従う温水洗浄装置は、温水を吐出して人体局部の洗浄を行う温水洗浄装置であって、ファンと前記ファンを回転させるためのモータとを備え、循環風を作り出す循環風作成手段と、ボタンを含む操作パネルと、前記温風の流路に設けられ、温水の吐出および停止を制御する電子制御装置と、を備える。そして、前記電子制御装置は、前記ボタンの操作に応答して前記モータを高速回転させるか、低速回転させるかを切り替える。
【００１０】
好適な実施形態では、前記循環風ユニットは、脱臭ユニットまたは室暖ユニットであってもよい。
【００１２】
【発明の実施の形態】
以上説明した本発明の構成を一層明らかにするために、以下本発明の好適な実施の形態について説明する。
【００１３】
図１に示すように、温水洗浄装置１０は、商用電源を供給する電源プラグ１２と、アース線１４と、洗浄水の給水を制御するバルブユニット２６と、洗浄水を加熱し貯溜する熱交換器ユニット３２と、吐水する洗浄水の水勢を調節する流調ユニット３６と、開閉自在な暖房便座１６と、暖房便座１６が閉じるときに抵抗力を与える便座ソフト閉止１７と、開閉自在な便蓋１８と、便蓋１８が閉じるときに抵抗力を与える便蓋ソフト閉止１９と、操作される操作部１３と、人体局部に温風を吐風する温風ユニット８０と、温風ユニット８０の上方であり、かつ吸気箇所に配設され、これらの機構を電気的に制御する電子制御装置１０１とを備えている。
【００１４】
次に、温水洗浄装置１０の給水系統を図２のブロツク図にて説明する。図２に示すように、外部水源は、洗浄水タンク（図示省略）に配管接統されると共に、途中の分岐金具２０から、連結管２１を介して、温水洗浄装置１０にも配管接統され、これに給水している。
【００１５】
衛生洗浄装置１０は、上流側から、給水アダプタ２２、減圧弁２３、電磁弁２４、安全弁２５からなるバルブユニット２６と、供給された水を吐水温用サーミスタ２８により温度検出しつつ洗浄水用ヒータ２９で適温まで加熱する熱交換器３０及び熱交換器内の水の有無を検出するフロートスイッチ３１とからなる熱交換器ユニット３２と、逆止弁３３、流調モータ３４により駆動される流調弁３５を備えた流調ユニット３６と、第１開開弁３７ａ及び第２開閉弁３７ｂを有する開閉弁ユニット３７とを備え、その先端には、ノズル装置４０が接続されている。ノズル装置４０は、上記洗浄用ノズル２４を軸方向に駆動するための駆動装置４１等から構成されている。
【００１６】
次に、図３を用いて温風ユニット８０について説明する。温風ユニット８０は、シロッコファン８２と、このシロッコファン８２を回転させる温風モータ８４と、温風ヒータ８６と、温風温度ヒューズ８８と、ダンパー９０、温風サーミスタ９２とから構成されている。
【００１７】
この温風ユニット８０は、温風モータ８４と温風ヒータ８６に通電されると、矢印方向から吸気した風力が加熱されて温風が発生し、この温風によってダンパー９０が開き、温風が吐風され、以後この動作が継続すると風が循環ようになっている。また、通電が停止すると、温風が止まり、ダンパー９０が閉じる。
【００１８】
電子制御装置１０１は、図４に示すように、予め設定された制御プログラムに従って洗浄水の温度等を制御するための各種演算処理を実行するＣＰＵ１０２と、ＣＰＵ１０２で各種演算処理を実行するのに必要な制御プログラムや制御データ等が予め格納されたＲＯＭ１０４と、同じくＣＰＵ１０２で各種演算処理を実行するのに必要な各種データが一時的に読み書きされるＲＡＭ１０６と、非通電時にもデータを記憶しているバックアップＲＡＭ１０７と、上記各センサからの検出信号やスイッチからの信号を入力してＣＰＵ１０２の処理可能な信号に変換する入力処理回路１０８と、ＣＰＵ１０２での演算結果に応じて電磁弁２４等や、ヒータ駆動部１１１に駆動信号を出力する出力処理回路１０９等を備えている。
【００１９】
なお、上記バックアップＲＡＭ１０７は、内蔵電池によりバックアップされるものの、フラッシュメモリなど電気的に書込・読み出し可能なデバイスであり、電源遮断時にもそのデータが消去されない各種の装置を適用できる。
【００２０】
電子制御装置１０１の入力処理回路１０８には、操作部１３からの信号を入力する。操作部１３には、上述したお尻洗浄ボタン１３ａ、ビデ洗浄ボタン１３ｂ、停止ボタン１３ｃ、吐水量を設定する水量設定ボタン１３ｄ、洗浄水の吐水温度を設定する吐水温設定ボタン１３ｅ、乾燥ボタン１３ｆと、吐水温用サーミスタ２８、温水洗浄装置１０内の温度を検出するサーミスタ５６、フロートスイッチ３１、温風サーミスタ９２が設けられている。
【００２１】
また、電子制御装置１０１の出力処理回路１０９には、洗浄水用ヒータ２９と、電磁弁２４、第１開閉弁３７ａ、第２開閉弁３７ｂ（図２参照）、温風モータ８４と、温風ヒータ８６とが接続されている。
【００２２】
さて、いま操作部１３のお尻洗浄ボタン１３ａを押すと、駆動装置４１を駆動して洗浄用ノズル２４を一体的に洗浄位置まで前進し、バルブユニット２６の第１開閉弁３７ａを開いて、洗浄水の噴出を開始する。そして、洗浄終了後、操作部１３の停止ボタン１３ｃを押して洗浄の終了を指示すると、第１開閉弁３７ａを開じて洗浄水の噴出を終了し、その後、駆助装置４１を逆転して洗浄用ノズル２４を収納位置に退避する。
【００２３】
また、ビデ洗浄ボタン１３ｂを押すと、ビデ洗浄位置まで洗浄用ノズル２４が進出して第２開開弁３７ｂを開いて洗浄水の噴出を開始し、停止ボタン１３ｃを押すことにより洗浄を終了する。
【００２４】
次に、温風ユニット８０を用いて電子制御装置１０１を冷却する方法について図５〜図７のフローチャートに基づいて説明する。
【００２５】
まず、図５のフローチャートは、温風ユニット８０を用いて電子制御装置１０１を冷却する方法についての第１のルーチンである。本ルーチンは、電子制御装置１０１に電源が投入されたときから、常時所定の周期（たとえば、３０ｍｓｅｃ）で処理されるものである。
【００２６】
まず、ステップＳ１００で乾燥ボタン１３ｆがオンされたか否が判定される。この判定の結果が否定的であったときには、ステップＳ１０４に進んで、温風モータ８４を低速回転（たとえば、２００ｐｐｍ）させ、本処理を終了する。一方、ステップＳ１００での判定結果が肯定的であったときには、ステップＳ１０２に進んで、温風モータ８４を高速回転（たとえば、５００ｐｐｍ）させ、本処理を終了する。
【００２７】
本ルーチンでは、温風モータ８４は、電子制御装置１０１に電源が投入されてから、常時低速回転して電子制御装置１０１を冷却し続けており、乾燥ボタン１３ｆがオンしているときのみ、高速回転するように動作する。したがって、電子制御装置１０１が動作熱を発生することを確実に防止することができる。
【００２８】
次に、図６のフローチャートは、温風ユニット８０を用いて電子制御装置１０１を冷却する方法についての第２のルーチンである。本ルーチンは、電子制御装置１０１に電源が投入されたときから、常時所定の周期（たとえば、３０ｍｓｅｃ）で処理されるものである。
【００２９】
まず、ステップＳ１１０で乾燥ボタン１３ｆがオンされたか否が判定される。この判定の結果が否定的であったときには、ステップＳ１１４に進んで、お尻洗浄ボタン１３ａがオンであるか否かが判定される。この判定結果が否定的であれば、更にステップＳ１１８に進んで温風モータ８４を停止させ、本ルーチンを終了する。一方、ステップＳ１１４での判定結果が肯定的であれば、温風モータ８４を低速回転（たとえば、３００ｐｐｍ）させ、本処理を終了する。
【００３０】
一方、ステップＳ１１０での判定結果が肯定的であったときには、ステップＳ１１２に進んで、温風モータ８４を高速回転（たとえば、５００ｐｐｍ）させ、本処理を終了する。
【００３１】
本ルーチンでは、温風モータ８４は、電子制御装置１０１に電源が投入されてから、お尻洗浄ボタン１３ａか乾燥ボタン１３ｆがオンしているかぎり回転して電子制御装置１０１を冷却し続けており、特に、乾燥ボタン１３ｆがオンしているときには、高速回転するように動作する。したがって、電子制御装置１０１が動作熱を発生することを確実に防止することができる。しかし逆にお尻洗浄ボタン１３ａと乾燥ボタン１３ｆがオンしていないときには、温風モータ８４を回転せずに電力を節約している。
【００３２】
最後に、図７のフローチャートは、温風ユニット８０を用いて電子制御装置１０１を冷却する方法についての第３のルーチンである。本ルーチンは、電子制御装置１０１に電源が投入されたときから、常時所定の周期（たとえば、３０ｍｓｅｃ）で処理されるものである。
【００３３】
まず、ステップＳ１２０で乾燥ボタン１３ｆがオンされたか否が判定される。この判定の結果が否定的であったときには、ステップＳ１２４に進んで、サーミスタ５６からの検出温度Ｔａが基準温度Ｔｏよりも高いか否かが判定される。この判定結果が否定的であれば、更にステップＳ１２８に進んで温風モータ８４を停止させ、本ルーチンを終了する。一方、ステップＳ１２４での判定結果が肯定的であれば、温風モータ８４を低速回転（たとえば、３００ｐｐｍ）させ、本処理を終了する。
【００３４】
一方、ステップＳ１２０での判定結果が肯定的であったときには、ステップＳ１２２に進んで、温風モータ８４を高速回転（たとえば、５００ｐｐｍ）させ、本処理を終了する。
【００３５】
本ルーチンでは、温風モータ８４は、電子制御装置１０１に電源が投入されてから、検出温度Ｔａが基準温度Ｔｏよりも高いか乾燥ボタン１３ｆがオンしているかぎり回転して電子制御装置１０１を冷却し続けており、特に、乾燥ボタン１３ｆがオンしているときには、高速回転するように動作する。したがって、電子制御装置１０１が動作熱を発生することを確実に防止することができる。しかし逆にお尻洗浄ボタン１３ａと乾燥ボタン１３ｆがオンしていないときには、温風モータ８４を回転せずに電力を節約している。
【００３６】
なお、本発明は、上記実施の形態に限られるものではなく、その要旨を逸脱しない範囲において種々の形態において実施することが可能である。
【００３７】
（１）上記実施の形態では、循環風作成手段として温風ユニット８０を用いたが、これに限らず、吸気した悪臭を無臭に変換して排出する脱臭ユニット、吸気した空気を温めて排出する室暖ユニットであってもよい。
【００３８】
（２）また、上記実施の形態では、電子制御装置１０１を温風ユニット８０の上方に配設したが、、これに限らず、温風ユニット８０によって作り出された循環風の通る流路であれば、どこでも構わない。
【００３９】
（３）上記第２のルーチンのステップＳ１１４では、お尻洗浄ボタン１３ａがオンであるか否かが判定されたが、これに限らずに、ビデ洗浄ボタン１３ｂがオンであるか否かを判定してもよい。
【００４０】
（４）上記実施の形態では、電子制御装置１０１が電磁弁を動作させるか否かを検出し、動作させると判断したときに、電子制御装置１０１の冷却が必要であるとしたが、これに限らず、例えば、電子制御装置１０１の温度を検出するためのサーミスタを用意し、そのサーミスタが所定温度以上を検出したときに、電子制御装置１０１の冷却が必要であるとしてもよい。
【図面の簡単な説明】
【図１】図１は、温水洗浄装置の内部構成を示す斜視図を示す。
【図２】図２は、温水洗浄装置１０の給水系統のブロツク図を示す。
【図３】図３は、温風ユニット８０の拡大図を示す。
【図４】図４は、電子制御装置１０１のブロック図を示す。
【図５】図５は、第１のルーチンを説明するフローチャート。
【図６】図６は、第２のルーチンを説明するフローチャート。
【図７】図７は、第３のルーチンを説明するフローチャート。
【符号の説明】
１０…温水洗浄装置
１２…電源プラグ
１３ａ…尻洗浄ボタン
１３ｂ…ビデ洗浄ボタン
１３ｃ…停止ボタン
１３ｄ…水量設定ボタン
１３ｅ…吐水温設定ボタン
１３ｆ…乾燥ボタン
１３…操作部
１４…アース線
１６…暖房便座
１７…便座ソフト閉止
１８…便蓋
１９  便蓋ソフト閉止
２０…分岐金具
２１…連結管
２２…給水アダプタ
２３…減圧弁
２４…洗浄用ノズル
２５…安全弁
２６…バルブユニット
２８…吐水温用サーミスタ
２９…洗浄水用ヒータ
３０…熱交換器
３１…フロートスイッチ
３２…熱交換器ユニット
３３…逆止弁
３４…流調モータ
３５…流調弁
３６…流調ユニット
３７ａ…第１開閉弁
３７ｂ…第２開開弁
３７…開閉弁ユニット
４０…ノズル装置
４１…駆動装置
５６…サーミスタ
８０…温風ユニット
８２…シロッコファン
８４…温風モータ
８６…温風ータ
８８…温風温度ヒューズ
９０…ダンパー
９２…温風サーミスタ
１０１…電子制御装置
１０２…ＣＰＵ
１０４…ＲＯＭ
１０６…ＲＡＭ
１０７…バックアップＲＡＭ
１０８…入力処理回路
１０９…出力処理回路
１１１…ヒータ駆動部
【図１】
0003594059.tif 000002
【図２】
0003594059.tif 000003
【図３】
0003594059.tif 000004
【図４】
0003594059.tif 000005
【図５】
0003594059.tif 000006
【図６】
0003594059.tif 000007
【図７】
0003594059.tif 000008